(57)【要約】  【課題】  活線分岐を行うことができる光ケーブル分割工具を提供する。  【解決手段】  光ケーブルから光ファイバを分割して取り出すために工具であって、開閉自在な上下レバー１Ａ、１Ｂと、分割刃４１Ａ、４１Ｂを備えたケーブル外被分割部４とを有し、上下レバー１Ａ、１Ｂを閉じて、光ケーブルのノッチに対応する位置に分割刃４１Ａ、４１Ｂを位置決めし、光ケーブルの長手方向に分割刃４１Ａ、４１Ｂを移動することによって、光ファイバーを取り出す。【選択図】  図１
2008070660.tif 000002
【特許請求の範囲】
【請求項１】
光ケーブルから光ファイバを分割して取り出すために工具であって、
開閉自在な上下レバーと刃を備えたケーブル外被分割部を有し、
前記上下レバーを閉じて、前記光ケーブルのノッチに対応する位置に前記刃を位置決めして挿入し、前記光ケーブルの長手方向に前記刃を移動することによって、光ファイバーを取り出すことを特徴とする光ケーブル分割工具。
【請求項２】
前記ケーブル外被分割部は、前記上下レバーを閉じた際に光ケーブルのノッチに挿入され前記光ケーブルの位置を調整するケーブル位置調整部材を備えていることを特徴とする請求項１に記載の光ケーブル分割工具。
【請求項３】
前記ケーブル外被分割部の刃は、光ケーブルの上下それぞれ２箇所のノッチに対応した４枚の切断刃からなり、上下それぞれ２箇所の切断刃の位置がノッチの長手方向にずれていることを特徴とする請求項１又は２に記載の光ケーブル分割工具。
【請求項４】
前記４枚の切断刃は、該切断刃に設けられた貫通孔と該貫通孔に挿入固定されるガイドピンによって位置決め固定されていることを特徴とする請求項３記載の光ケーブル分割工具。
【請求項５】
前記上下レバーを閉じた際に、閉じた状態で保持するストッパを備えていることを特徴とする請求項１から４のいずれか一項に記載の光ケーブル分割工具。
【請求項６】
前記上下レバーを閉じて前記光ケーブルの支持線の除去を行う支持線除去部を備えていることを特徴とする請求項１から５のいずれか一項に記載の光ケーブル分割工具。
【請求項７】
前記支持線除去部は、支持線の一部を収容する支持線保持部を備えていることを特徴とする請求項６記載の光ケーブル分割工具。
。
【請求項８】
前記ケーブル外被分割部は、ケーブル収容部の両側に前記支持線の切り残し部分を逃がすための空間を有していることを特徴とする請求項１から７のいずれか一項に記載の光ケーブル分割工具。
【請求項９】
前記ケーブル分割工具は、支持線外被除去部を有しており、支持線の外被を除去する作業は、前記上下レバーを開閉することによって行われることを特徴とする請求項１から８のいずれか一項に記載の光ケーブル分割工具。
【発明の詳細な説明】
【技術分野】
【０００１】
本発明は、光ケーブルから光ファイバを分割して取出すために用いる光ケーブル分割工具に関する。
【背景技術】
【０００２】
従来、光ファイバケーブルとして、各種のものが知られているが、光ファイバの周囲を樹脂などで被覆して心線としており、通常、これを鋼線などのテンションメンバと共に樹脂で被覆して一体化させている。
【０００３】
例えば、光ファイバケーブルの配線施工などを行う際には、光ファイバケーブル本体から表面の被覆を剥ぎ取る作業などが必要となる。
そこで、このような作業を行うために、従来、各種の工具が提案され開発されている(例えば、特許文献１参照)。
即ち、この工具は、図１１に示す外被１０１表面の対角線上に長手方向に溝１０２が連続的に施された通信用ケーブル１００において、外被１０１を引き剥がして光ファイバ心線１０３を取り出すようにしたものである。即ち、この工具２００は、通信用ケーブル１００を間に挟んで２つの把持具ガイド２０１、２０２が配置され、これら把持具ガイド２０１、２０２の内側面上下に、把持具２０３〜２０６がそれぞれ上下動自在に取り付けられている。
【０００４】
把持部２０３〜２０６は、図１１に矢印で示すように、把持具ガイド２０１、２０２に沿って上下に摺動することにより、長手方向に連続的に加工された溝１０２を間に挟んで、通信用ケーブル１００の両側の外被１０１若しくは外被１０１の上から抗張力体１０４を各々把持するものである。把持具ガイド２０１、２０２は、図１２に矢印で示すように左右両側に移動することができ、これにより把持部２０３〜２０６の間隔を広げて溝１０２から亀裂を生じさせる破断機構を構成する。なお、図中では省略されているが、各々の把持部２０３〜２０６毎に分離した抗張力体１０４の間から光ファイバ心線１０３を損傷することなく取り出す手段を備える。
【０００５】
従って、この工具によれば、外被１０１と抗張力体１０４と光ファイバ心線１０３からなる通信用ケーブル１００の長手方向の任意の位置において、図１２に示すように、ケーブル１００長手方向に連続的に加工された溝１０２を挾んで、両側の外被１０１若しくは外被１０１の上から抗張力体１０４を各々把持し、把持した部分の各々の間隔を広げる。すると、図１３に示すように、溝１０２から亀裂を生じさせることができ、各々の把持部２０３〜２０６毎にケーブルを分離して、その分離した間から光ファイバ心線１０３を損傷することなく取り出すことができる。
【特許文献１】特開２０００−１２１８３９号公報
【発明の開示】
【発明が解決しようとする課題】
【０００６】
このような工具では、ケーブルを押し広げる作業を行うので、光ファイバ心線を取り出すときに、光ファイバを曲げたくなくても曲がってしまう。このため、活線状態の光ファイバの伝送信号が瞬断されるなどの不都合な事態が起こってしまう可能性がある。
【０００７】
本発明の目的は、光ファイバを取り出すときの分割作業時に、光ファイバが曲がるのを防止しできる光ケーブル分割工具を提供することを目的とする。
【課題を解決するための手段】
【０００８】
上記目的を達成するため、本発明の光ケーブル分割工具は、光ケーブルから光ファイバを分割して取り出すために工具であって、開閉自在な上下レバーと刃を備えたケーブル外被分割部を有し、前記上下レバーを閉じて、前記光ケーブルのノッチに対応する位置に前記刃を位置決めして挿入し、前記光ケーブルの長手方向に前記刃を移動することによって、光ファイバーを取り出すことを特徴とする。
【０００９】
また、本発明の光ケーブル分割工具は、前記ケーブル外被分割部が、前記上下レバーを閉じた際に光ケーブルのノッチに挿入され前記光ケーブルの位置を調整するケーブル位置調整部材を備えていることが望ましい。
【００１０】
また、本発明の光ケーブル分割工具は、前記ケーブル外被分割部の刃が、光ケーブルの上下それぞれ２箇所のノッチに対応した４枚の切断刃からなり、上下それぞれ２箇所の切断刃の位置がノッチの長手方向にずれていることが望ましい。
【００１１】
また、本発明の光ケーブル分割工具は、前記４枚の切断刃が、該切断刃に設けられた貫通孔と該貫通孔に挿入固定されるガイドピンによって位置決め固定されていることが望ましい。
【００１２】
また、本発明の光ケーブル分割工具は、前記上下レバーを閉じた際に、閉じた状態で保持するストッパを備えていることが望ましい。
【００１３】
また、本発明の光ケーブル分割工具は、前記上下レバーを閉じて前記光ケーブルの支持線の除去を行う支持線除去部を備えていることが望ましい。
【００１４】
また、本発明の光ケーブル分割工具は、前記支持線除去部が、支持線の一部を収容する支持線保持部を備えていることが望ましい。
【００１５】
また、本発明の光ケーブル分割工具は、前記ケーブル外被分割部が、ケーブル収容部の両側に前記支持線の切り残し部分を逃がすための空間を有していることが望ましい。
【００１６】
また、本発明の光ケーブル分割工具は、支持線外被除去部を有しており、支持線の外被を除去する作業は、前記上下レバーを開閉することによって行われることが望ましい。
【発明の効果】
【００１７】
本発明によれば、光ケーブルから光ファイバを分割して取り出すために工具であって、開閉自在な上下レバーと刃を備えたケーブル外被分割部を有し、前記上下レバーを閉じて、前記光ケーブルのノッチに対応する位置に前記刃を位置決めし、前記光ケーブルの長手方向に前記刃を移動することによって、光ファイバーを取り出すようになっており、光ファイバを取り出すときに、光ファイバが曲がるのを防止できる光ケーブル分割工具を提供できる。
【発明を実施するための最良の形態】
【００１８】
以下、本発明の実施形態について、添付図面を参照しながら詳細に説明する。
図１及び図２は、本発明の一実施形態に係る光ケーブル分割工具を示すものであり、この光ケーブル分割工具は、開閉可能な上下一対のレバー１を備えている。このレバー１には、ガイド部２と、支持線除去部３と、ケーブル外被分割部４と、ストッパ５と、支持線外被除去部６を有している。この分割工具は、一例として、図１０（Ａ）に示す光ケーブル９０の支持線９０Ａの除去および支持線９０Ａの外被９２の除去と、図１０（Ｂ）に示すケーブル本体９０Ｂの外被９６の分割作業を、いずれもレバー１の開閉操作によって行うことができるようになっている。
【００１９】
ここで、図１０に示すケーブルの概略構成を説明する。光ケーブル９０は、支持線９０Ａとケーブル本体９０Ｂとが首部９０Ｃで連結されている。このうち、支持線９０Ａは、鋼線などのテンションメンバ９１と、これを被覆する樹脂で形成した外被９２とを備えている。一方、ケーブル本体９０Ｂは、一対のテンションメンバ９３と、８心の光ファイバ９４と、補強部材９５と、これらを被覆する樹脂で形成した外被９６とを備えている。なお、外被９６には、上下両面にそれぞれ２箇所のノッチ９７が形成されている。
【００２０】
図１、図２に示す光ケーブル分割工具は、レバー１が、支軸１Ｃを中心に開閉可能に枢着された一対の上レバー１Ａ及び下レバー１Ｂから構成されており、支軸１Ｃに巻装させたトーションばね１Ｄによって常時開放する方向に弾性力が付勢されている。また、この上レバー１Ａ及び下レバー１Ｂには、一定角度を越えて開放しないようにするため、一方のレバー（下レバー１Ｂ）に設けた回動孔１Ｅと、他方のレバー（上レバー１Ａ）に設けて回動孔１Ｅから突出させレバー１の開放角度を規制する規制ピン１Ｆと、を付設している。
【００２１】
ガイド部２は、光ケーブル９０のケーブル本体９０Ｂの外被９６の分割を行う際に、ノッチ９７の探し出し及びノッチ９７に対する正確な位置決めなどを行うものである。このガイド部２は、本実施形態では、図４及び図５に示すように、光ケーブル９０のノッチ９７に係止させる係止突起２１Ａ、２１Ｂを、上レバー１Ａ及び下レバー１Ｂに一方の側面から外部へそれぞれ突設する突起部１１Ａ，１１Ｂ部分に設置している。即ち、図４に示す上レバー１Ａには、ケーブル本体９０Ｂのノッチ９７の間隔Ｌ（図１０参照）と同じ間隔で係止突起２１Ａ（具体的には係止突起２１１Ａ，２１２Ａ）が形成されている。同様に、図５に示す下レバー１Ｂにも、ケーブル本体９０Ｂのノッチ９７の間隔Ｌと同じ間隔で係止突起２１Ｂ（具体的には係止突起２１１Ｂ，２１２Ｂ）が形成されている。
【００２２】
支持線除去部３は、図１０（Ａ）に示す光ケーブル９０の光ケーブル本体９０Ｂから支持線９０Ａを分離除去するためのものであり、本実施形態では、図２及び図３に示すように、下レバー１Ｂの突起部１２Ｂに設け支持線９０Ａを切断する除去刃３１と、上レバー１Ａの突起部１２Ａ及び下レバー１Ｂの突起部１２Ｂに形成した各半円形状の切欠き３２Ａ，３２Ｂからなる支持線保持部３２と、下レバー１Ｂの突起部１２Ｂに設け、支持線９０Ａを押し当てて切断する際にケーブル本体９０Ｂを安定した状態に保持する台座３３とで構成されている。
【００２３】
ケーブル外被分割部４は、図１０（Ａ）に示す光ケーブル９０のケーブル本体９０Ｂから中央部の光ファイバ９４を取り出すために、図１０図（Ｂ）に示すようにケーブル本体９０Ｂの光ファイバ９４を避けたノッチ９７部分から外被９６を切り裂くためのものであり、レバー１の閉じ動作により行う。本実施形態のケーブル外被分割部４には、図２に示すように、上下レバー１Ａ、１Ｂにそれぞれ２つずつ、都合４枚の分割刃４１Ａ、４１Ｂが設けられている。また、本実施形態の場合、図４に示すガイド部２の係止突起２１Ａとケーブル外被分割部４の分割刃４１Ａとは、一体化された一枚の薄い板状部材で構成されている。同様に、図５に示す係止突起２１Ｂと分割刃４１Ｂも一体化された一枚の薄い板状部材で構成されており、これら両板状部材が距離Ｌの間隔を保持して互いに並行に配設されている。
【００２４】
分割刃４１Ａ（具体的には分割刃４１１Ａと分割刃４１２Ａの２枚）は、図４に示すように、互いにずれた状態で設置されており、換言すれば、前後方向（上レバー１Ａの長手方向に平行な方向）に一定距離だけずれた状態で設置されているとともに、前後方向に直交する左右方向にも距離Ｌだけずれた状態で設置されている。また、下レバー１Ｂに設置されている分割刃４１Ｂ（具体的には、分割刃４１１Ｂと分割刃４１２Ｂの２枚）も、図５に示すように、分割刃４１Ａと同じく、前後方向に一定距離ずれた状態で設置されているとともに、左右方向に距離Ｌだけずれた状態で設置されている。このように、上下レバーに都合４個設けてある分割刃４１は、互いにずれた状態で設置されている。
【００２５】
なお、係止突起２１Ａと分割刃４１Ａ及び係止突起２１Ｂと分割刃４１Ｂは、それぞれ、各レバー１に組み付ける際に、その組み付け位置の精度を確保するため、予めねじ４０Ａ（図２参照）で仮止め・微調整することができるように、ねじ４０Ａに対しねじ孔４０Ｃ、４０Ｄが若干大きくなっている。組み付け位置を微調整したのち、ガイドピン４０Ｂ（図４、５参照）を打ち込んで分割刃４１Ａ、４１Ｂを固定させ、その後、最後までねじ４０Ａを締め付けて最終的に固定する。そのため、係止突起２１Ａと一体の分割刃４１Ａ及び係止突起２１Ｂと一体の４１Ｂである４枚の刃には、それぞれ、ねじ４０Ａが螺着する孔４０Ｃ、４０Ｄ（図１、２、４、５参照）のほかに、ガイドピン４０Ｂを挿入させて位置決め固定させるための貫通孔４０Ｅ、４０Ｆ（図１、４、５参照）を設けている。ガイドピン４０Ｂの外径と貫通孔４０Ｅ、４０Ｆの内径は略同一で、ガイドピン４０Ｂの嵌め込みにより突起及び刃の位置が正確に固定される。
【００２６】
また、このケーブル外被分割部４は、ガイド部２で予め位置決めされた状態となった後のケーブル本体９０Ｂのノッチ９７に正確に当接し、そのノッチ９７からケーブル本体９０Ｂを押し切るようにするため、ガイド部２に先ずノッチ９７を当接させて、その後で押し切るために、ガイド部２よりもレバー１の支軸１Ｃから離れた開放端部側に設置されている。特に、これらの分割刃４１Ａ、４１Ｂは、前述したように、それぞれガイド部２の係止突起２１Ａの間隔Ｌと同一間隔で、かつ、互いに並行に配置させている。これにより、これらの分割刃４１Ａ、４１Ｂは、レバー１の長手方向に並行な方向について、ガイド部２の係止突起２１Ａ、２１Ｂと同一線上に配列させることができる。また、これらの分割刃４１Ａ、４１Ｂは、光ケーブルの外径を基準にして光ケーブルを固定して分割刃を入れるのではなく、光ケーブルのノッチに対して分割刃を位置決めして挿入しているので、正しい位置で光ケーブルを分割することができ、光ファイバの心数が多い場合においても、光ファイバ心線に大きな応力を加えることなく分割して取り出すことができる。
【００２７】
さらに、このケーブル外被分割部４を設けている突起部１１Ａ，１１Ｂには、図２及び図６に示すように、両側に略矩形状の切欠き４２、４３が形成されている。従って、ケーブル本体９０Ｂから支持線９０Ａを分割除去したときに支持線９０Ａの若干の切り残された部分があっても、その部分を逃がしながら分割刃４１Ａ、４１Ｂで確実に外被９６を切り裂くことができる。
【００２８】
ストッパ５は、ケーブル本体９０Ｂの外被９６を切り裂いていく際の切り裂き作業を確実に行わせるとともに、この切り裂き作業の際に光ケーブル分割工具がケーブル本体９０Ｂから抜け出すのを防止するものである。本実施形態のストッパ５は、図１に示すように、略棒状を有し下レバー１Ｂに取付けたストッパ部材５１と、このストッパ部材５１を係脱可能に止め付ける上レバー１Ａに取付けた止め付け部材５２とを備える。
【００２９】
ストッパ部材５１は、後述する止め付け部材５２のロック溝５２Ｂに挿入させておくことにより、圧縮ばね５１Ｄで常時一定方向α（図５参照）に押圧されて上下レバー１Ａ、１Ｂを閉鎖状態に保持することができる。ストッパ部材５１は、図５に示すように、先端部にロック釦５１Ａ、中間部に大径のロック突起５１Ｂ、ロック釦５１Ａとロック突起５１Ｂとの間にこれらより小径の通過部５１Ｃを形成している。なお、圧縮ばね５１Ｄは、バネ室５１Ｅに収容されており、最大に伸張したときに、ちょうどロック突起５１Ｂが後述するロック溝５２Ｂに挿入される位置となるように構成されている。一方、通過部５１Ｃの長さは、止め付け部材５２の厚さよりも若干長くなるような長さに形成されている。
【００３０】
止め付け部材５２は、図７（Ａ）に示すように、下レバー１Ｂに向かう一端部が開口した通過溝５２Ａと、この通過溝５２Ａに連なるロック溝５２Ｂとを設けている。このうち、通過溝５２Ａは、ストッパ部材５１の通過部５１Ｃの通過を許容する細幅のスリット形状に形成されている。一方、ロック溝５２Ｂは、ロック釦５１Ａ及びロック突起５１Ｂが嵌入可能な大きさを有する円形状に形成されており、ロック突起５１Ｂがこのロック溝５２Ｂに入り込んだ状態のときには、同図（Ｃ）に示す用に、大径のロック突起５１Ｂは幅の狭い通過溝５２Ａを通過して外部へ抜け出すことができないので、上下レバー１Ａ、１Ｂが閉鎖（ロック）状態のままに保持される。
【００３１】
支持線外被除去部６は、光ケーブル９０の支持線９０Ａの外被９２を除去してクロージャに取付けたときに接地させるためのものであり、上下レバー１Ａ、１Ｂを開いて支持線９０Ａを挟み付けた後、上下レバー１Ａ、１Ｂを閉じることによって行う。このため、本実施形態の支持線外被除去部６は、図１に示すように、支軸１Ｃに近い上下レバー１Ａ、１Ｂのそれぞれ基端部寄りの互いに対向する内側部分（内面）に、ペンチ方式のものが取り付けられている。即ち、本実施形態の支持線外被除去部６は、図８に示すように、互いに対向する対向面に凹凸部６１Ａ、６１Ｂを多数形成した上部支持線外被除去部６Ａ及び下部支持線外被除去部６Ｂを有しており、支持線の外被を挟み付けた状態で上下レバー１Ａ、１Ｂを閉じたまま、支持線９０Ａの長さ方向に沿って押し出すことにより、外被９２を除去できる。
【００３２】
なお、本発明の支持線外被除去部は、この実施形態のようなペンチ方式のほかに、図９に示すような、カンナ方式のものでもよい。即ち、図９に示す支持線外被除去部７は、支軸１Ｃに近い上下レバー１Ａ、１Ｂの左右何れかの側面（図９では、ケーブル外被分割部４を取付けている方の紙面表側の側面）部分に突設した状態に設置された上部支持線外被除去部７Ａと下部支持線外被除去部７Ｂとで構成されており、上部支持線外被除去部７Ａには、所定の傾斜角度で設置された除去刃７１を設けている。
【００３３】
次に、ストッパ部材５１による止め付け部材５２へのロック操作及びロック解除操作と、光ファイバケーブルから光ファイバを取り出す作業について説明する。
図７において、初め、同図（Ａ）に示すように、トーションばね１Ｄ（図５参照）の弾性力で上下レバー１Ａ、１Ｂが開いた状態にあるときに、片手で上下レバー１Ａ、１Ｂを持ちながら、圧縮ばね５１Ｄで最先端まで押し出されていたストッパ部材５１のロック釦５１Ａを、親指などで所定のストロークだけ押し込みつつ、同時に上下レバー１Ａ、１Ｂを閉じていくようにする。
【００３４】
すると、同図（Ｂ）に示すように、ストッパ部材５１の通過部５１Ｃが止め付け部材５２の通過部５１Ｃをくぐり抜けるような状態で通過部５１Ｃを通過する。ここで、ストッパ部材５１の通過動作中にはトーションばね１Ｄの弾性力でストッパ部材５１が先端方向に押し出される。ところが、大径のロック突起５１Ｂは細幅の通過溝５２Ａに入り込めず、止め付け部材５２の一面に押し当たりながら通過溝５２Ａに沿って摺動するだけである。従って、ロック釦５１Ａをずっと押し続けていなくても、通過部５１Ｃは通過溝５２Ａを自動的に通過できる。
【００３５】
そして、同図（Ｃ）に示すように、通過部５１Ｃがロック溝５２Ｂに入り込む。すると、ストッパ部材５１が圧縮ばね５１Ｄの弾性力で元の状態まで戻る。一方、上下レバーは、トーションばね１Ｄの弾性力で開こうとする力が作用している。従って、これらの力を受けているストッパ部材５１は、止め付け部材５２に係止した状態のまま留まるので、ロック釦５１Ａを押し込まない限り、そのままロック状態が保持される。
【００３６】
従って、このロック状態を保持したまま、ケーブル外被分割部４を図１０に示すケーブル本体９０Ｂのノッチ９７に押し当てながら、この光ケーブル分割工具をケーブル本体９０Ｂの長さ方向に押し出していけば、容易に、しかも、確実に外被９６を切り裂いていくことができる。また、この際、ケーブルを押し広げる作業が必要ないので、外被９６を剥ぎ取って内部の光ファイバ心線９４を取り出すときに、その光ファイバ心線９４が曲がるのを確実に防止できる。
【００３７】
また、光ファイバ心線９４の取り出し作業などの終了とともに、上下レバー１Ａ、１Ｂのロック解除を行う場合には、ロック釦５１Ａを再度押し込むようにして、通過部５１Ｃを通過溝５２Ａに入れ込ませるとともに、上下レバー１Ａ、１Ｂを把持する手の力を弱めればよい。このとき、トーションばね１Ｄの弾性力で上下レバー１Ａ、１Ｂには開き方向の力が作用している。従って、図７（Ｂ）に示すように、ストッパ部材５１の通過部５１Ｃは、止め付け部材５２の通過溝５２Ａをくぐり抜けるような格好で下端部まで下方へ押し出されていき、通過溝５２Ａを通り抜けることができるわけである。このようにして、同図（Ａ）に示すようにストッパ部材５１が止め付け部材５２から脱出するので、ストッパ５によるロック動作が自動的に解除される。
【００３８】
なお、本実施形態では、一対のレバー１を、上レバー１Ａ及び下レバー１Ｂと呼称しているが、各種の作業を行う場合において、必ずしも上レバー１Ａが上下方向の上側に、また下レバー１Ｂが上下方向の下側に配置して操作するものではない。
【００３９】
なお、本発明は上述した実施形態に何ら限定されるものではなく、その要旨を逸脱しない範囲において種々の形態で実施し得るものである。
【図面の簡単な説明】
【００４０】
【図１】本発明の実施形態に係る光ケーブル分割工具を示す概略側面図である。
【図２】同光ケーブル分割工具を示す概略断面図である。
【図３】同光ケーブル分割工具の支持線除去部を示す拡大断面図である。
【図４】同光ケーブル分割工具の上レバーの先端側の内側部分の構成を示す説明図である。
【図５】同光ケーブル分割工具の下レバーの先端側の内側部分の構成を示す説明図である。
【図６】同光ケーブル分割工具のケーブル外被分割部を示す拡大断面図である。
【図７】（Ａ）から（Ｃ）は同光ケーブル分割工具の上下レバーの閉じ動作に合わせて行うロック操作を示すものであり、図１におけるVII−VII線断面図である。
【図８】同光ケーブル分割工具の支持線外被除去部を示す要部拡大図である。
【図９】同光ケーブル分割工具の支持線外被除去部の変形例を示す要部拡大図である。
【図１０】（Ａ）は本発明の光ケーブル分割工具で作業を行う光ケーブルの支持線除去前の状態を示す断面図、（Ｂ）は本発明の光ケーブル分割工具によって図１０に示す光ケーブルの支持線を除去した後の状態を示す断面図である。
【図１１】従来の光ファイバケーブルの被覆などの作業を行う工具を示す説明図である。
【図１２】その工具を用いて光ファイバケーブルを押し広げるときの作業を示す説明図である。
【図１３】その工具を用いて光ファイバケーブルの被覆部を引き裂いて光ファイバ心線を取り出すときの作業を示す説明図である。
【符号の説明】
【００４１】
１  レバー
１Ａ  上レバー
１Ｂ  下レバー
１Ｃ  支軸
１Ｄ  トーションばね
２  ガイド部
２１Ａ、２１Ｂ  係止突起
３  支持線除去部
３１  除去刃
３２  支持線保持部
３２Ａ，３２Ｂ  切欠き
３３  台座
４  ケーブル外被分割部
４０Ａ  ねじ
４０Ｂ  
４０Ｃ、４０Ｄ  （ねじの）孔
４０Ｅ、４０Ｆ  （ガイドピンの）貫通孔
４１、４１Ａ、４１Ｂ  分割刃（刃）
４２、４３  切欠き（切り残し部分を逃がすための空間）
５  ストッパ
５１  ストッパ部材
５１Ａ  ロック釦
５１Ｂ  ロック突起
５１Ｃ  通過部
５２  止め付け部材
５２Ａ  通過溝
５２Ｂ  ロック溝
６、７  支持線外被除去部
７１  除去刃
９０  光ケーブル
９０Ａ  支持線
９０Ｂ  ケーブル本体
９０Ｃ  首部
９１、９３  テンションメンバ
９２、９６  外被
９４  光ファイバ心線
９７  ノッチ
【図１】
2008070660.tif 000003
【図２】
2008070660.tif 000004
【図３】
2008070660.tif 000005
【図４】
2008070660.tif 000006
【図５】
2008070660.tif 000007
【図６】
2008070660.tif 000008
【図７】
2008070660.tif 000009
【図８】
2008070660.tif 000010
【図９】
2008070660.tif 000011
【図１０】
2008070660.tif 000012
【図１１】
2008070660.tif 000013
【図１２】
2008070660.tif 000014
【図１３】
2008070660.tif 000015